(57)【要約】  ２本の直線状導体（１，２）は短絡することなく直交配置されている。これら直線状導体（１，２）は接続導体（３，４）により両端同士が接続され一続きのループを形成している。ループ内の１箇所の分断部には一対の端子（５）が設けられている。これら直線状導体（１，２）と接続導体（３，４）と端子（５）からなるループアンテナを直線状に配置し、かつ、隣接するループアンテナを平面上で回転させた配置とする。
2017212542.tif 000002
【特許請求の範囲】
【請求項１】
短絡することなく直交配置された２本の直線状導体と、当該２本の直線状導体の両端同士を接続して、一続きのループを形成する２本の接続導体と、前記ループ内の１箇所の分断部に設けられた一対の端子とからなるループアンテナを同一平面上に複数備え、
前記複数のループアンテナを直線状に配置すると共に、隣接するループアンテナを前記平面上で回転させた配置としたことを特徴とする電磁界プローブ。
【請求項２】
前記複数のループアンテナは、それぞれ隣接するループアンテナを９０度回転させたことを特徴とする請求項１記載の電磁界プローブ。
【請求項３】
前記分断部は前記２本の直線状導体のうちいずれか一方の直線状導体の直交部に設けられたことを特徴とする請求項１記載の電磁界プローブ。
【請求項４】
短絡することなく直交配置された２本の直線状導体と、当該２本の直線状導体の両端同士を接続して、一続きのループを形成する２本の接続導体と、前記ループ内の１箇所の分断部に設けられた一対の端子とからなるループアンテナを同一平面上に複数備え、
前記ループアンテナを包含するＸ方向とＹ方向の辺のうち、いずれか長い方の辺の長さをＬｄとしたときＬ＞Ｌｄ、ｎは整数とし、前記ループアンテナを２次元平面上の基準点からＸ方向とＹ方向の共にｎＬの位置となるように複数配置し、かつ、Ｘ方向またはＹ方向に反転させた前記ループアンテナを、前記基準点からＸ方向，Ｙ方向共にｎＬ＋Ｌ／２の位置となるように複数配置したことを特徴とする電磁界プローブ。
【請求項５】
前記分断部は前記２本の直線状導体のうちいずれか一方の直線状導体の直交部に設けられたことを特徴とする請求項４記載の電磁界プローブ。
【請求項６】
前記複数のループアンテナは、分断されていない他方の直線状導体が同一の向きとなる配置としたことを特徴とする請求項５記載の電磁界プローブ。
【請求項７】
前記複数のループアンテナは、分断されていない他方の直線状導体が隣接するループアンテナ同士で異なる向きとなる配置としたことを特徴とする請求項５記載の電磁界プローブ。
【発明の詳細な説明】
【技術分野】
【０００１】
この発明は、ループアンテナを用いた電磁界プローブに関するものである。
【背景技術】
【０００２】
電磁界プローブの検出方式として一般に用いられる方式の一つに、ループアンテナがある。従来のループアンテナは、平面上に形成されたループ構造を持ち、測定対象から生じる磁界がループ面を通過するように配置されることでループに誘導電流が生じる。これにより、測定対象を流れる電流を検出することができる。
このようなループアンテナとして、従来、直交配置された直線状導体と、これらの直線状導体の両端を互いに接続し、一続きのループを同一平面上に形成したものがあった（例えば非特許文献１参照）。
【先行技術文献】
【非特許文献】
【０００３】
【非特許文献１】小林剛他，ＰＣＢ配線を対象とした磁界プローブの検討，電子情報通信学会ソサイエティ大会講演論文集，環境電磁工学（Ｂ−４）一般セッション，Ｂ−４−１８，２０１５年．
【発明の概要】
【発明が解決しようとする課題】
【０００４】
しかしながら、上記従来の技術では、ループを捻ったアンテナ構造は様々な方向に走る配線に対して向きを変えずに電流を検出可能であるが、配線の位置、向きの条件に依っては、一続きに構成される二つのループ内もしくは一つのループ内で磁束が相殺されることで、電流を検出できないといった課題があった。【０００５】
この発明は、かかる問題を解決するためになされたもので、様々な方向に走る配線に対しても向きを変えることなく配線に生じる電流を検出することができる電磁界プローブを提供することを目的とする。
【課題を解決するための手段】
【０００６】
この発明に係る電磁界プローブは、短絡することなく直交配置された２本の直線状導体と、２本の直線状導体の両端同士を接続して、一続きのループを形成する２本の接続導体と、ループ内の１箇所の分断部に設けられた一対の端子とからなるループアンテナを同一平面上に複数備え、複数のループアンテナを直線状に配置すると共に、隣接するループアンテナを平面上で回転させた配置としたものである。
【発明の効果】
【０００７】
この発明に係る電磁界プローブは、複数のループアンテナを直線状に配置すると共に、隣接するループアンテナを回転させた配置としたものである。これにより、様々な方向に走る配線に対して電磁界プローブの向きを変えずに配線に生じる電流を検出することができる。
【図面の簡単な説明】
【０００８】
【図１】この発明の実施の形態１の電磁界プローブを示す構成図である。
【図２】この発明の実施の形態１の電磁界プローブの他の例を示す構成図である。
【図３】この発明の実施の形態１の電磁界プローブの検出動作を示す説明図である。
【図４】図４Ａ及び図４Ｂは、この発明の実施の形態１の電磁界プローブの他の角度の配線の検出動作を示す説明図である。
【図５】この発明の実施の形態２の電磁界プローブを示す構成図である。
【図６】この発明の実施の形態２の電磁界プローブの他の例を示す構成図である。
【図７】この発明の実施の形態２の電磁界プローブのさらに他の例を示す構成図である。
【図８】この発明の実施の形態２の電磁界プローブの検出動作を示す説明図である。
【図９】この発明の実施の形態２の電磁界プローブの他の位置の配線の検出動作を示す説明図である。
【発明を実施するための形態】
【０００９】
以下、この発明をより詳細に説明するために、この発明を実施するための形態について、添付の図面に従って説明する。
実施の形態１．
図１は、本実施の形態による電磁界プローブの構成図である。
本実施の形態による電磁界プローブは、図１に示すように、複数個のループアンテナ１１，１２，１３を備えている。それぞれのループアンテナ１１，１２，１３は、直線状導体１，２が、短絡することなく直交して配置されている。図の例では、直線状導体１，２は、等しい長さであり、中点で交差している。また、直線状導体１，２の両端は互いに接続導体３，４により接続されている。これにより、直線状導体１，２と接続導体３，４による一続きのループが形成される。さらに、一続きのループのうちの１箇所が分断されて、その分断された部分に一対の端子５が設けられている。この一対の端子５は、ループに生じる検出電流を引出すためのものである。図１の例では、接続導体４の中点部分が分断されて、一対の端子５が設けられている。
【００１０】
ここで、図１に示す電磁界プローブは、各ループアンテナ１１，１２，１３を直線状に配置し、かつ、隣接するループアンテナ１１，１２，１３を９０度ずつ回転させた配置としている。すなわち、ループアンテナ１２はループアンテナ１１を時計回りに９０度回転させ、ループアンテナ１３はループアンテナ１２を時計回りに９０度回転させた配置となっている。
【００１１】
なお、図示例ではループアンテナ１１，１２，１３が３個配置されているが、この数に限定されるものではない。また、直線状導体１と直線状導体２とが直交するとは、電磁界プローブとしての検出特性に影響を及ぼさない範囲の角度での直交であればよく、有る程度の許容範囲を含むものとする。さらに、それぞれのループアンテナ１１，１２，１３を回転させる角度は９０度に限られるものでなく、他の角度も適用可能である。
【００１２】
ここで、図１に示す電磁界プローブは、直線状導体１と直線状導体２とが立体的に交差しているため、単一の平面上には構成することはできない。それに対し、例えば図２に示すように、直線状導体１，２のうちの一方を交差位置で分断して一対の端子５を設け、直線状に配置することで、ループアンテナ２１，２２，２３を単一平面上に構成することができる。図示例では、一方の直線状導体である直線状導体２を分断して端子５を設け、他方の直線状導体である直線状導体１を連続した形状としている。
【００１３】
次に、上記のように構成された電磁界プローブの電流検出について、図３を参照して説明する。ここでは図２に示す電磁界プローブを用いて、給電または信号伝送が行われる配線５０上に生じる電流の検出原理について説明する。ここで、プリント基板配線を測定対象とした場合、その配線方向の大半は直交する０度と９０度である。また、一部、４５度または１３５度の配線が用いられることがある。
【００１４】
まず、図３に示すように、配線５０に対し、ループアンテナ２１，２３の直線状導体１が位置するように配置した場合について説明する。
配線５０に図示方向の電流１００が流れると、右ねじの法則より、配線５０の周囲に右回りの磁束１０１が発生する。このとき、ループアンテナ２１，２３の左上のループ及びループアンテナ２２の右上のループには、下方向から上向きの磁束１０１が通り、右下のループ（ループアンテナ２２では左下のループ）には、紙面上方向から下向きの磁束１０１が通る。また、ループアンテナ２１，２２，２３はループの１辺を１８０度捻った形状に構成されているため、ループアンテナ２１，２３の左上のループに生じる誘導電流１０２と右下のループに生じる誘導電流１０３、ループアンテナ２２の右上のループに生じる誘導電流１０２と左下のループに生じる誘導電流１０３は互いに強め合う方向で合成される。その結果、図３に示す電磁界プローブの場合では、配線５０に流れる電流を検出することができる。
【００１５】
なお、時計回りに９０度回転させた配線５０を、図３に示すループアンテナ２１の直線状導体２上に位置するように配置すると、同様の原理で配線５０に流れる電流を電磁界プローブが検出することができる。
【００１６】
次に、図４Ａを参照して、時計回りに４５度回転させた配線５０に対し、ループアンテナ２１の中心を配線５０上に位置するように配置した場合について考える。
この場合にも、配線５０に図示方向の電流１００が流れると、右ねじの法則に従い、配線５０の周囲に右回りの磁束１０１が発生する。このとき、ループアンテナ２１の左上のループと右下のループにはそれぞれ、配線５０を境に上向きの磁束１０１と下向きの磁束１０１が等分に通る。そのため、ループ内で磁束１０１が互いに相殺され、誘導電流１０２，１０３も相殺される。その結果、図４Ａに示す状態では、配線５０に流れる電流を検出することができない。
【００１７】
次に、図４Ａの位置から矢印５１の向きへ図４Ｂに示すように配線５０を移動させた場合について説明する。図に示す４５度回転させた配線５０に対し、真ん中に位置するループアンテナ２２の中心を配線５０上に位置するように配置した場合について考える。
この場合にも、配線５０に図に示す方向の電流１００が流れると、右ねじの法則に従い、配線５０の周囲に右回りの磁束１０１が発生する。このとき、ループアンテナ２２の右上のループと左下のループにはそれぞれ、配線５０を境に上向きの磁束１０１と下向きの磁束１０１が等分に通る。右上のループには、紙面下方向から上向きの磁束１０１が通る。また、ループアンテナ２２の右上のループに生じる誘導電流１０２と左下のループに生じる誘導電流１０３は互いに強め合う方向で合成される。その結果、図４Ｂに示す電磁界プローブの場合では、配線５０に流れる電流を検出することができる。
【００１８】
なお、時計回りに１３５度回転させた配線５０を、図４Ａ及び図４Ｂに示すように矢印５１の向きへ移動させると、同様の原理でループアンテナ２１，２２，２３の中心を配線５０上に位置するように配置した場合では、向きを変えることなくいずれかのループアンテナ２１，２２，２３によって配線５０に流れる電流を検出することができる。
【００１９】
以上説明したように、実施の形態１の電磁界プローブによれば、短絡することなく直交配置された２本の直線状導体と、２本の直線状導体の両端同士を接続して、一続きのループを形成する２本の接続導体と、ループ内の１箇所の分断部に設けられた一対の端子とからなるループアンテナを同一平面上に複数備え、複数のループアンテナを直線状に配置すると共に、隣接するループアンテナを平面上で回転させた配置としたので、様々な方向に走る配線に対して電磁界プローブの向きを変えずに配線に生じる電流を検出することができる。また、単一のプローブと比較して、１度の測定で多くの出力が得られるため、測定時間の短縮化を図ることができる。
【００２０】
また、実施の形態１の電磁界プローブによれば、複数のループアンテナは、それぞれ隣接するループアンテナを９０度回転させたので、４５度及び１３５度配線についても、電磁界プローブの向きを変えることなく、配線に流れる電流を検出することができる。
【００２１】
また、実施の形態１の電磁界プローブによれば、分断部は前記２本の直線状導体のうちいずれか一方の直線状導体の直交部に設けられたので、単一の平面上に電磁界プローブを構成することができる。
【００２２】
実施の形態２．
実施の形態２は、複数個のループアンテナを備え、かつ、それぞれのループアンテナを２次元平面上にアレイ化して配置するようにしたものである。
図５は、実施の形態２の電磁界プローブを示す構成図である。
図５に示す電磁界プローブでは、実線で描かれた全く同一なループアンテナ（ループアンテナ１１ａ）を２次元平面上に複数個、基準点２００からＸ軸２０１，Ｙ軸２０２共にｎＬの位置となるよう均等に配置する。ここで、基準点２００は、図５中の左下隅のループアンテナ１１ａに外接する四角形の左下隅の点である。また、ｎは整数であり、Ｌの長さは隣接するループアンテナの導体とショートしないように、ループアンテナ１１ａの直線状導体１ａの長さより大きい値とする。さらに、破線のループアンテナ（ループアンテナ１１ｂ）は、実線のループアンテナ（ループアンテナ１１ａ）の左右を反転したものであり、これらループアンテナ１１ｂを基準点２００からＸ軸２０１，Ｙ軸２０２共にｎＬ＋Ｌ／２の位置となるよう均等に配置する。なお、ループアンテナ１１ａでは直線状導体を１ａ，２ａで示し、接続導体を３ａ，４ａで示している。また、ループアンテナ１１ｂでは直線状導体を１ｂ，２ｂで示し、接続導体を３ｂ，４ｂで示している。
【００２３】
これにより、基準点２００からＸ軸２０１，Ｙ軸２０２共にｎＬの位置となるよう均等に配置し、反転させたループアンテナを高密度に配置することができ、また図示のように、接続導体３ａ（３ｂ）と４ｂ（４ａ）は並走しておらず、隣接するループアンテナ間の干渉量が低くなり、対象とする配線５０の電流検出を妨げずに構成することができる。ただし、図５に示すループアンテナは合計８個配置されているが、これに限るものでなく、何個配置してもよい。
【００２４】
ここで、図５に示す電磁界プローブでは、直線状導体１ａ（１ｂ）と直線状導体２ａ（２ｂ）とが立体的に交差しているため、単一の平面上には構成することができない。それに対し、例えば図６に示すように、直線状導体１ａ，２ａのうちの一方を交差位置で分断して一対の端子５を設けることで、ループアンテナ２１ａ，２１ｂを単一平面上に構成することができ、端子５が隣接するループアンテナと干渉せず、対象とする配線５０との電流検出を妨げずに構成することができる。なお、図６の例では、直線状導体２ａ（２ｂ）を交差位置で分断した場合を示している。
【００２５】
次に図７に示す電磁界プローブについて説明する。図７に示す電磁界プローブでは、実線で描かれたループアンテナ（ループアンテナ２１ａ，２１ｃ）を２次元平面上に複数個、基準点２００からＸ軸２０１，Ｙ軸２０２共にｎＬの位置となるよう均等に配置し、かつ、分断されない直線状導体１ａが異なる向きとなるよう交互に配置する。ただし、図５に示す例と同様にｎは整数であり、Ｌの長さは隣接するループアンテナの導体とショートしないように、直線状導体１ａの長さより大きい値とする。また、破線のループアンテナ（ループアンテナ２１ｂ，２１ｄ）を、実線のループアンテナに対して左右反転させ、基準点２００からＸ軸２０１，Ｙ軸２０２共にｎＬ＋Ｌ／２の位置とし、さらに分断されない直線状導体１ｂが異なる向きとなるよう交互に配置する。
【００２６】
これにより、分断されない直線状導体１ａ（１ｂ）の向きを異なるよう交互にすることで、各ループアンテナのループ内で磁束が相殺される配線５０の位置、向きの条件を揃えないよう配置することができる。
【００２７】
次に、上記のように構成された電磁界プローブの動作について図８を用いて説明する。以下では、図６に示すループアンテナの配置方法で、給電または信号伝送が行われる配線５０を流れる電流の検出原理について説明する。
【００２８】
図８に示すように、０度の配線５０に電流１００が流れると、右ねじの法則より、配線５０の周囲に右回りの磁束１０１が発生する。このとき、ループアンテナ２１ａにおける左上のループには、下方向から上向きの磁束１０１が通り、右下のループには、紙面上方向から下向きの磁束１０１が通ることで、ループアンテナ２１ａの左上のループに生じる誘導電流１０２と右下のループに生じる誘導電流１０３は互いに強め合う方向で合成される。
【００２９】
その結果、図８に示す電磁界プローブの場合では、配線５０に流れる電流を検出することができる。また、直線状導体１ｂ，２ｂと接続導体３ｂ，４ｂで形成されるループ構造にも磁束１０１が通るので、隣接するループアンテナ２１ｂにおいても、配線５０に流れる電流を検出することができるが、磁束１０１の通過量は配線５０上のループアンテナの方が多く、電流の検出量が大きい。
【００３０】
次に、配線５０がループアンテナの中心から離れた場合の電流の検出原理について図９を用いて説明する。図９に示す配線５０は、直線状導体１ａ，２ａ，接続導体４ａで構成されるループ構造の面積を半分とする位置に配置されている。この場合にも、配線５０に図に示す方向の電流１００が流れると、右ねじの法則に従い、配線５０の周囲に右回りの磁束１０１が発生する。このとき、配線５０を境に上向きの磁束１０１と下向きの磁束１０１が等分に通る。そのため、ループ内で磁束１０１が互いに相殺され、誘導電流１０２，１０３も相殺される。
【００３１】
その結果、図９に示すループアンテナ２１ａの直線状導体１ａ，２ａ，接続導体４ａで構成されるループ構造では、配線５０に流れる電流を検出することができないが、このとき隣接するループアンテナ２１ｂについては、直線状導体１ｂ，２ｂ，接続導体３ｂで構成されるループ構造には磁束１０１が通過するため、配線５０に流れる電流を検出することができる。
【００３２】
なお、時計回りに９０度回転させた配線５０を、図９に示す例えば直線状導体１ａ，２ａ，接続導体４ａで構成されるループ構造の面積を半分とする位置に配置しても、同様の原理で配線５０に流れる電流を隣接するプローブで検出することができる。
【００３３】
なお、上記実施の形態２では、基準点２００を、ループアンテナ１１ａ，２１ａに外接する四角形の図面左下の点としたが、ループアンテナを包含する四角形内の任意の点であってもよい。また、Ｌの長さは、直線状導体１ａの長さより大きい値としたが、直線状導体１ａと直線状導体２ａの長さが異なる場合は、ループアンテナを包含するＸ方向とＹ方向の辺のうち、いずれか長い方の長さをＬｄとしたときにＬ＞Ｌｄとなるような値とすればよい。
【００３４】
以上説明したように、実施の形態２の電磁界プローブによれば、短絡することなく直交配置された２本の直線状導体と、２本の直線状導体の両端同士を接続して、一続きのループを形成する２本の接続導体と、ループ内の１箇所の分断部に設けられた一対の端子とからなるループアンテナを同一平面上に複数備え、ループアンテナを包含するＸ方向とＹ方向の辺のうち、いずれか長い方の辺の長さをＬｄとしたときＬ＞Ｌｄ、ｎは整数とし、前記ループアンテナを２次元平面上の基準点からＸ方向とＹ方向の共にｎＬの位置となるように複数配置し、かつ、Ｘ方向またはＹ方向に反転させた前記ループアンテナを、前記基準点からＸ方向，Ｙ方向共にｎＬ＋Ｌ／２の位置となるように複数配置したので、様々な方向に走る配線に対して電磁界プローブの向きを変えずに配線に生じる電流を検出することができ、かつ、位置の制御も必要とせずに電流を検知することができる。
【００３５】
また、実施の形態２の電磁界プローブによれば、分断部は２本の直線状導体のうちいずれか一方の直線状導体の直交部に設けられたので、単一の平面上に電磁界プローブを構成することができる。
【００３６】
また、実施の形態２の電磁界プローブによれば、複数のループアンテナは、分断されていない他方の直線状導体が同一の向きとなる配置としたので、様々な方向に走る配線に対して電磁界プローブの向きを変えずに配線に生じる電流を検出することができ、かつ、位置の制御も必要とせずに電流を検知することができる。
【００３７】
また、実施の形態２の電磁界プローブによれば、複数のループアンテナは、分断されていない他方の直線状導体が隣接するループアンテナ同士で異なる向きとなる配置としたので、それぞれのループアンテナにおけるループ内で磁束が相殺される測定対象の位置と向きの条件を揃えないようにすることができ、その結果、電磁界プローブとして、向きや位置の制御を必要としないという効果がある。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３９】
以上のように、この発明に係る電磁界プローブは、複数のループアンテナを用いた構成に関するものであり、プリント基板配線上に生じる電流を検出するのに適している。
【符号の説明】
【００４０】
１，１ａ，１ｂ，２，２ａ，２ｂ  直線状導体、３，３ａ，３ｂ，４，４ａ，４ｂ  接続導体、５  端子、１１，１１ａ，１１ｂ，１２，１３，２１，２１ａ，２１ｂ，２１ｃ，２１ｄ，２２，２３  ループアンテナ、５０  配線、１００  電流、１０１  磁束、１０２，１０３  誘導電流、２００  基準点、２０１  Ｘ軸、２０２  Ｙ軸。
【図１】
2017212542.tif 000003
【図２】
2017212542.tif 000004
【図３】
2017212542.tif 000005
【図４】
2017212542.tif 000006
【図５】
2017212542.tif 000007
【図６】
2017212542.tif 000008
【図７】
2017212542.tif 000009
【図８】
2017212542.tif 000010
【図９】
2017212542.tif 000011
【手続補正書】
【提出日】平成30年7月9日(2018.7.9)
【手続補正１】
【補正対象書類名】明細書
【補正対象項目名】０００６
【補正方法】変更
【補正の内容】
【０００６】
この発明に係る電磁界プローブは、短絡することなく直交配置された２本の直線状導体と、当該２本の直線状導体の両端同士を接続して、一続きのループを形成する２本の接続導体と、ループ内の１箇所の分断部に設けられた一対の端子とからなるループアンテナを同一平面上に複数備え、ループアンテナを包含するＸ方向とＹ方向の辺のうち、いずれか長い方の辺の長さをＬｄとしたときＬ＞Ｌｄ、ｎは整数とし、ループアンテナを２次元平面上の基準点からＸ方向とＹ方向の共にｎＬの位置となるように複数配置し、かつ、Ｘ方向またはＹ方向に反転させたループアンテナを、基準点からＸ方向，Ｙ方向共にｎＬ＋Ｌ／２の位置となるように複数配置したものである。
【手続補正２】
【補正対象書類名】特許請求の範囲
【補正対象項目名】全文
【補正方法】変更
【補正の内容】
【特許請求の範囲】
【請求項１】
短絡することなく直交配置された２本の直線状導体と、当該２本の直線状導体の両端同士を接続して、一続きのループを形成する２本の接続導体と、前記ループ内の１箇所の分断部に設けられた一対の端子とからなるループアンテナを同一平面上に複数備え、
前記ループアンテナを包含するＸ方向とＹ方向の辺のうち、いずれか長い方の辺の長さをＬｄとしたときＬ＞Ｌｄ、ｎは整数とし、前記ループアンテナを２次元平面上の基準点からＸ方向とＹ方向の共にｎＬの位置となるように複数配置し、かつ、Ｘ方向またはＹ方向に反転させた前記ループアンテナを、前記基準点からＸ方向，Ｙ方向共にｎＬ＋Ｌ／２の位置となるように複数配置したことを特徴とする電磁界プローブ。
【請求項２】
前記分断部は前記２本の直線状導体のうちいずれか一方の直線状導体の直交部に設けられたことを特徴とする請求項１記載の電磁界プローブ。
【請求項３】
前記複数のループアンテナは、分断されていない他方の直線状導体が同一の向きとなる配置としたことを特徴とする請求項２記載の電磁界プローブ。
【請求項４】
前記複数のループアンテナは、分断されていない他方の直線状導体が隣接するループアンテナ同士で異なる向きとなる配置としたことを特徴とする請求項２記載の電磁界プローブ。
【国際調査報告】
2017212542.tif 000012
2017212542.tif 000013
2017212542.tif 000014
2017212542.tif 000015